(57)【要約】【課題】夜間作業等の明かりがない状況での作業における作業効率を向上可能なコードリールを提供する。【解決手段】コードリール１１は、電気コードが巻き付けられる胴部と、胴部の一方端に取り付けられ、電気コードと電気的に接続された電源コンセント１６を含む第一側板１４２と、胴部の他方端に取り付けられる第二側板とを有するドラム本体１４と、ドラム本体１４を回転可能に支持するスタンド１５と、電源コンセント１６の周囲を取り囲むように第一側板１４２上に配設された複数の発光素子１８とを備える。【選択図】図１
0003170778.tif 000002
【実用新案登録請求の範囲】
【請求項１】
電気コードが巻き付けられる胴部と、前記胴部の一方端に取り付けられ、前記電気コードと電気的に接続された電源コンセントを含む第一側板と、前記胴部の他方端に取り付けられる第二側板と、を有するドラム本体と、
前記ドラム本体を回転可能に支持するスタンドと、
前記電気コードと電気的に接続され、前記電源コンセントの周囲を取り囲むように前記第一側板上に配設された複数の発光素子と、を備える、コードリール。
【請求項２】
前記複数の発光素子によって囲まれた領域内には、複数の前記電源コンセントと、前記電気コードを介して当該電源コンセントに通電された状態を報知するための電源ランプとが、配置される、請求項１に記載のコードリール。
【請求項３】
前記ドラム本体は、円形状であって、
前記複数の発光素子は、前記電源コンセントの周囲を取り囲むようにリング状に配列する、請求項１または２に記載のコードリール。
【請求項４】
前記複数の発光素子が挿入される中空の透明チューブをさらに備え、
前記透明チューブは、前記電源コンセントの周囲を取り囲むように前記第一側板に取り付けられる、請求項１〜３のいずれかに記載のコードリール。
【請求項５】
前記複数の発光素子は、
遠方まで光を到達させることができる比較的に鋭い指向性を有する第一発光素子と、
前記電源コンセントの近傍を照らすのに適した比較的に広い指向性を有する第二発光素子と、を含む、請求項１〜４のいずれかに記載のコードリール。
【請求項６】
前記発光素子は、ＬＥＤである、請求項１〜５のいずれかに記載のコードリール。
【考案の詳細な説明】
【技術分野】
【０００１】
本考案は、コードリールに関するものであって、特に、発光素子を備えたコードリールに関するものである。
【背景技術】
【０００２】
電源から離隔した作業現場においては、電源供給のために、長尺な電気コードと電源コンセントとを備えたコードリールが用いられる。また、夜間作業やトンネル内での作業等のように、明かりがない状況での作業においては、コードリール本体を含む作業機器や、作業現場を照明によって照らす必要がある。そこで、作業現場に電源を供給するコードリールに、発光素子を取り付け、電源供給と作業現場の照明とを両方実現することができるコードリールが、従来から開発されてきた。このような、コードリールが、例えば実開昭６３−４４６１７号公報（特許文献１）に開示されている。
【先行技術文献】
【特許文献】
【０００３】
【特許文献１】実開昭６３−４４６１７号公報
【考案の概要】
【考案が解決しようとする課題】
【０００４】
特許文献１に記載のコードリールは、一方端に電源コンセントが設けられ、他方端に透光カバーによって閉塞された開口を有するドラムを備え、このドラム内に、蛍光ランプが設置されている。この構成により、ドラムの他方端側を、内設された蛍光ランプによって照らすことができる構成となっている。
【０００５】
しかしながら、特許文献１に記載のコードリールにおいては、以下に示す課題がある。すなわち、特許文献１に記載のコードリールによれば、電源コンセントが配設されているドラムの一方端側は、蛍光ランプによって充分に光を照射することができない。したがって、例えば夜間作業中に作業器具を電源コンセントに接続する等の操作を行う場合において、照度不足のために作業効率を低下させてしまう虞がある。また、ドラム内に蛍光ランプを内設する構成は、構造が複雑になることに加えて、ドラムの他方端に透光カバーを別途取り付ける必要もあることから、製造コストの増大にも繋がる。
【０００６】
そこで、本考案の目的は、上記課題に鑑み、より簡易な構成により、夜間作業等の明かりがない状況での作業における作業効率を向上可能なコードリールを提供することである。
【課題を解決するための手段】
【０００７】
電気コードが巻き付けられる胴部と、胴部の一方端に取り付けられ、電気コードと電気的に接続された電源コンセントを含む第一側板と、胴部の他方端に取り付けられる第二側板とを有するドラム本体と、ドラム本体を回転可能に支持するスタンドと、電気コードと電気的に接続され、電源コンセントの周囲を取り囲むように第一側板上に配設された複数の発光素子とを備える。
【０００８】
この構成によれば、電源コンセントの周囲に配された複数の発光素子によって、電源コンセント近傍が照らされるため、夜間作業時に電源コンセントの抜き差し等をする場合において、より作業をし易くすることができる。また、複数の発光素子が点灯することによって、夜間作業等において作業現場を照らす照明として利用することができるとともに、コードリールから離れて作業をした場合に、作業者がコードリールの位置を容易に把握することも可能となる。
【０００９】
好ましくは、複数の発光素子によって囲まれた領域内には、複数の電源コンセントと、電気コードを介して当該電源コンセントに通電された状態を報知するための電源ランプとが、配置される。この構成によれば、複数の電源コンセントおよびその周辺機器を、周囲に配された複数の発光素子によって照らすことができるため、より利便性に優れたコードリールを提供することができる。
【００１０】
好ましくは、ドラム本体は、円形状であって、複数の発光素子は、電源コンセントの周囲を取り囲むようにリング状に配列する。この構成によれば、電源コンセント近傍をより万遍なく均一に照らすことができる。
【００１１】
好ましくは、複数の発光素子が挿入される中空の透明チューブをさらに備え、透明チューブは、電源コンセントの周囲を取り囲むように第一側板に取り付けられる。この構成によれば、透明チューブを介して、複数の発光素子を、より容易な作業でまとめて第一側板に取り付けることができる。これにより、コードリールをより簡易な作業で製造することが可能となる。
【００１２】
好ましくは、複数の発光素子は、遠方まで光を到達させることができる比較的に鋭い指向性を有する第一発光素子と、電源コンセントの近傍を照らすのに適した比較的に広い指向性を有する第二発光素子とを含む。この構成によれば、遠方まで光を照らすことができる第一発光素子によって、夜間に作業現場を照らす照明としてより有利に利用することができるとともに、作業者がコードリールから離れて作業をした場合において、作業者から見たコードリールの視認性をより向上させることができる。それとともに、第二発光素子によって、電源コンセント近傍を効果的に照らすことができるため、夜間作業時における作業効率を、より効果的に向上させることができる。
【００１３】
好ましくは、発光素子は、ＬＥＤである。この構成によれば、装置として、消費電力の低減と、長寿命とを実現することが可能となるため、より付加価値の高い製品を提供することができる。
【考案の効果】
【００１４】
本考案によれば、電源コンセントの周囲に配された複数の発光素子によって、電源コンセント近傍が照らされるため、夜間作業時に電源コンセントの抜き差し等をする場合において、より作業をし易くすることができる。また、複数の発光素子が点灯することによって、夜間に作業現場を照らす照明として利用することができるとともに、コードリールから離れて作業をした場合に、作業者がコードリールの位置を容易に把握することも可能となる。
【図面の簡単な説明】
【００１５】
【図１】本考案の一実施形態に係るコードリールの正面図である。
【図２】図１に示すコードリールの左側面図である。
【図３】図２中の領域IIIの断面を拡大して示す拡大断面図である。
【図４】回路基板と、回路基板上に実装されたＬＥＤのみを示す外観図である。
【図５】図１に示すコードリールの変形例である。
【図６】本考案の他の実施形態に係るコードリールの左側面図である。
【図７】透明チューブと、透明チューブ内に収容されたＬＥＤのみを示す外観図である。
【考案を実施するための形態】
【００１６】
以下、本考案の実施の形態を図面に基づき詳細に説明する。まず、図１〜図４を参照して、本考案の一実施形態に係るコードリール１１の構成について説明する。なお、以下の説明における左方向とは、図１の紙面右方向を示し、説明における前方向とは、図１の紙面表側、すなわち、図２の紙面左方向を示すものとする。
【００１７】
本考案の一実施形態に係るコードリール１１は、電源から離隔した作業現場において、電源供給のために用いられる装置であって、外部電源に接続される差し込みプラグ１３を先端に有する長尺な電気コード１２と、電気コード１２を巻き付けて収納するドラム本体１４と、ドラム本体１４を回転可能に支持するスタンド１５とを備える。
【００１８】
ドラム本体１４は、電気コード１２が巻き付けられる円筒状の胴部１４１と、胴部１４１の一方端に取り付けられ、胴部１４１よりも大きい外径を有する円板状の第一側板１４２と、胴部１４１の他方端に取り付けられ、第一側板１４２と略同じ外径を有する第二側板１４３とを有する。
【００１９】
スタンド１５は、地面に接地するコの字状の土台フレーム１５１と、土台フレーム１５１の左右両端から第二側板１４３の中心に向けて延び、第二側板１４３の中心部にて互いに連結する左右のスタンドフレーム１５２，１５３と、左右のスタンドフレーム１５２，１５３の上端連結部から前方に向けて延びる軸フレーム１５４とを有する。軸フレーム１５４が、第一側板１４２および第二側板１４３に設けられた中心孔に挿通され、これによりボビン本体１４が、スタンド１５に回転可能に支持されている。スタンド１５は、左右のスタンドフレーム１５２，１５３の上端連結部から上方に延び、所定の高さにて前方へ屈曲して延在する取手フレーム１５５と、取手フレーム１５５の前端に嵌着された取手部１５６とをさらに有する。コードリール１１を運搬する際には、使用者は、この取手部１５６を把持して持ち上げて運搬することができる。
【００２０】
電気コード１２をボビン本体１４から引き出す際には、使用者は、差し込みプラグ１３を把持して外方へ引っ張る。そうすると、ボビン本体１４が軸フレーム１５４を中心に回転し、電気コード１２がボビン本体１４の外方へ長尺に引き出される。また、電気コード１２を収納する際には、使用者は、第一側板１４２の前面に設けられたハンドル２１を把持し、電気コードの引き出し方向と反対方向に回転させる。そうすると、電気コード１２がボビン本体１４の胴部１４１に巻き付けられて図２に示すように収納される。
【００２１】
本実施形態に係るコードリール１１においては、第一側板１４２に、複数の電源コンセント１６と、電源コンセント１６への通電を報知するための電源ランプ１７と、電源コンセント１６の周囲を取り囲むように配設された複数のＬＥＤ１８が設けられている。
【００２２】
電源コンセント１６は、電気コード１２と電気的に接続されており、作業現場にて用いられる作業機器の差し込みプラグが挿入されると、電気コード１２を介して外部から供給される電圧を作業機器へと中継する。なお、本実施形態においては、計４個の電源コンセント１６が、第一側板１４２の前方側に向けて開口するように設けられている。
【００２３】
電源ランプ１７は、外部電源からの電圧が電源コンセント１６に通電した状態となったときに点灯するランプである。なお、第一側板１４２に、電源ＯＮ／ＯＦＦ用のスイッチをさらに設け、このスイッチによって外部電源から電源コンセント１６への通電をＯＮ／ＯＦＦする構成であってもよい。
【００２４】
ここで、本実施形態においては、複数のＬＥＤ１８が、電源コンセント１６および電源ランプ１７の周囲を取り囲むようにリング状に配列するように、第一側板１４２に配設されている。以下、ＬＥＤ１８の取り付け構造について、具体的に説明する。
【００２５】
ＬＥＤ１８は、図３および図４に示すように、円環状の回路基板１９上に実装されており、回路基板１９を介して、互いに電気的に接続されている。そして、回路基板１９からは、リード線２０が引き出され、電気コード１２に電気的に接続されている。すなわち、本実施形態においては、ＬＥＤ１８は、発光のための電源を、電気コード１２を介して外部電源から得る構成となっている。第一側板１４２には、リング状に配列するＬＥＤ１８に相当する位置に、貫通孔が設けられている。そして、各ＬＥＤ１８が対応する貫通孔から前面側に突出するように、回路基板１９が第一側板１４２の後面側から取り付けられている。このように、本実施形態によれば、非常に簡易な構造によって、コードリール１１に発光素子としてのＬＥＤを装着することが可能である。
【００２６】
本実施形態に係るコードリール１１は、上記構成を備えることから、夜間作業時における作業効率を向上させることができる。より具体的には、電源コンセント１６の周囲に配された複数のＬＥＤ１８によって、電源コンセント１６近傍が照らされるため、夜間作業等のように明かりのない状況での作業時において、電源コンセント１６へのプラグの抜き差し等の作業を、より容易に行うことができる。また、複数のＬＥＤ１８が点灯することによって、作業現場を照らす照明として利用することができるとともに、コードリール１１から離れて作業をした場合に、作業者がコードリール１１本体の位置を容易に把握することも可能となる。
【００２７】
また、本実施形態においては、複数のＬＥＤ１８によって囲まれた領域内に、複数の電源コンセント１６と、電源ランプ１７とが、配置されている。なお、図示してはいないが、これらＬＥＤ１８によって囲まれた領域内に、上記した電源ＯＮ／ＯＦＦ用スイッチや、報知ブザー、通信用マイク／スピーカ、ＵＳＢポート、イ―サネット（登録商標）端子、または、これら機器を操作するための操作盤等、現場作業に必要となる如何なる機器を配設してもよい。この構成によれば、複数の電源コンセント１６およびその周辺機器を、周囲に配された複数のＬＥＤ１８によって照らすことができるため、より利便性に優れたコードリール１１を提供することができる。
【００２８】
また、本実施形態によれば、ドラム本体１４は円形状であって、複数のＬＥＤ１８が、電源コンセント１６の周囲を取り囲むようにリング状に略等間隔で配列している。この構成によれば、電源コンセント１６の近傍をより万遍なく均一に照らすことができる。
【００２９】
なお、本実施形態においては、複数のＬＥＤ１８を、第一側板１４２の外周縁近傍の領域にリング状に配設した場合について述べたが、これに限らず、例えば図５に示すように、電源コンセント１６の外径側近傍の領域に配設する構成であってもよい。
【００３０】
次に、図６および図７を参照して、本考案の他の実施形態に係るコードリール３１について説明する。なお、上記した実施形態と同様の部材には同じ符号を付し、詳細な説明を省略する。
【００３１】
本考案の他の実施形態に係るコードリール３１は、上記実施形態に係るドラム本体１４およびスタンド１５と、複数のＬＥＤ１８が挿入された中空の透明チューブ３２とを備えている。そして、ＬＥＤ１８を内蔵する透明チューブ３２が、複数の電源コンセント１６の周囲を取り囲むように第一側板１４２の前面に取り付けられている。
【００３２】
透明チューブ３２は、リング状に連なる中空の可撓性のチューブであって、その内部に略等配となるように複数のＬＥＤ１８を収容している。透明チューブ３２内に収容されたＬＥＤ１８同士は、互いに電気的に接続されており、透明チューブ３２の外方へとリード線２０が引き出され、電気コード１２に電気的に接続される。この構成によれば、透明チューブ３２を介して、複数のＬＥＤ１８を、第一側板１４２の前面側からより容易な作業でまとめて取り付けることができる。これにより、コードリール３１をより簡易な作業で製造することが可能となる。なお、図４に示したように、ＬＥＤ１８を回路基板１９上に実装し、ＬＥＤ１８および回路基板１９を透明チューブ３２内に挿入する構成であってもよい。
【００３３】
なお、上記した実施形態においては、発光素子としてＬＥＤを適用した場合について述べた。光源としてＬＥＤを適用することによって、装置としての消費電力の低減と、長寿命化を実現することが可能となるため、より付加価値の高い製品を提供することができるからである。しかしながら、本考案は、これに限定するものではなく、白熱電球や蛍光灯、有機ＥＬといった、その他の如何なる発光素子を適用してもよい。
【００３４】
また、上記実施形態においては、本体ボビン１４が、円形状である場合について述べたが、多角形や、楕円形、またはその他如何なる形状を有していてもよい。
【００３５】
また、上記実施形態においては、発光素子として、同一種類のＬＥＤを適用した場合について述べた。しかしながら、これに限らず、発光素子を、遠方まで光を到達させることができる比較的に鋭い指向性を有する第一発光素子と、電源コンセントの近傍を照らすのに適した比較的に広い指向性を有する第二発光素子とによって構成してもよい。具体例としては、第一発光素子として指向性の鋭い砲弾型ＬＥＤを適用し、第二発光素子として指向性の広いドーム型ＬＥＤを適用することが考えられる。
【００３６】
この構成によれば、遠方まで光を到達させることができる第一発光素子によって、夜間作業等において現場を照らす照明としてより有利に利用することができるとともに、作業者がコードリールから離れて作業をした場合において、作業者から見たコードリールの視認性をより向上させることができる。それとともに、第二発光素子によって、電源コンセント近傍を万遍なく効果的に照らすことができるため、夜間作業時における作業効率を、より効果的に向上させることができる。
【００３７】
また、上記実施形態においては、ＬＥＤ発光のための電源を、電気コードを介して外部電源から得る構成となっている場合について述べたが、これに限らず、コードリール本体に内部電源としての電池を設け、その電池からＬＥＤ発光のための電源を得る構成であってもよい。
【００３８】
以上、図面を参照して本考案の実施の形態を説明したが、本考案は、図示した実施の形態のものに限定されない。図示した実施の形態に対して、本考案と同一の範囲内において、あるいは均等の範囲内において、種々の修正や変形を加えることが可能である。
【産業上の利用可能性】
【００３９】
本考案は、夜間作業の効率を向上させることができるコードリールを提供するものであって、作業機器の製造分野に有利に利用される。
【符号の説明】
【００４０】
１１，３１  コードリール、１２  電気コード、１３  差し込みプラグ、１４  ドラム本体、１４１  胴部、１４２  第一側板、１４３  第二側板、１５  スタンド、１５１  土台フレーム、１５２，１５３  スタンドフレーム、１５４  軸フレーム、１５５  取手フレーム、１５６  取手部、１６  電源コンセント、１７  電源ランプ、１８  ＬＥＤ、１９  回路基板、２０  リード線、２１  ハンドル、３２  透明チューブ。
【図１】
0003170778.tif 000003
【図２】
0003170778.tif 000004
【図３】
0003170778.tif 000005
【図４】
0003170778.tif 000006
【図５】
0003170778.tif 000007
【図６】
0003170778.tif 000008
【図７】
0003170778.tif 000009